(57)【要約】【課題】不定形サイズで蓄積された複数の異なるサイズの画像を出力する画像形成装置の操作性改善を課題とする。【解決手段】不定形サイズで蓄積された複数の異なるサイズの画像を出力する場合に必要な記録紙サイズを全て表示することで、ユーザは予め印刷に必要な記録紙をセットする事ができ、記録紙交換回数を減らして画像形成装置の操作性を向上させる。【選択図】        図１
2006240254.tif 000002
【特許請求の範囲】
【請求項１】
複数の異なるサイズの画像データを蓄積する画像記憶部と、所定の情報を表示する表示部を含んで構成される操作部と、複数の異なるサイズの記録紙を給紙する記録紙給紙部と、当該画像記憶部に蓄積された複数の異なるサイズの画像データを出力する画像出力部とからなる画像形成装置であって、
前記画像記憶部に蓄積されている画像データが、前記画像形成装置のユーザから出力指示された場合に、当該出力指示された画像データを出力可能かどうか判断する出力判断手段と、
前記記録紙給紙部に所定のサイズの記録紙が無いことによりに前記画像データが出力できない場合に、出力に必要な所定のサイズの記録紙を前記表示部に表示する表示制御手段と、
を備えることを特徴とする画像形成装置。
【請求項２】
前記表示制御手段は、出力に必要な記録紙のサイズが不定形の場合にはロール紙サイズを表示し、出力に必要な記録紙のサイズが定形の場合にはカット紙サイズを表示することを特徴とする請求項１に記載の画像形成装置。
【請求項３】
出力する画像サイズが不定形サイズであり、かつ当該不定形サイズが前記記録紙給紙部を構成するロール紙給紙段のサポートサイズと一致しない場合には、出力画像を保証するように最も余白を少なくしたロール紙またはカット紙を給紙選択することを特徴とする請求項１または請求項２に記載の画像形成装置。
【請求項４】
前記画像出力部から出力しようとする画像サイズが不定形サイズであり、かつ当該不定形サイズが前記記録紙給紙部を構成するロール紙給紙段のサポートサイズと一致しない場合に、前記表示制御手段は、出力画像を保証するように最も余白を少なくする条件で検索した用紙サイズを表示することを特徴とする請求項１または２に記載の画像形成装置。
【請求項５】
複数の画像先頭から印刷可能な画像までを印刷指示する印刷指示手段をさらに備え、
前記表示制御手段は、前記印刷指示手段により印刷指示を受け印刷される画像に当該印刷指示手段からさらに印刷指示があった場合に、当該画像が印刷された記録紙サイズを出力順に重複するサイズを除いて表示することを特徴とする請求項１に記載の画像形成装置。
【請求項６】
前記画像記憶部に蓄積された複数の画像のうち印刷可能な画像のみを印刷指示する印刷指示手段をさらに備え、
前記表示制御手段は、前記印刷指示手段により印刷指示をうけた場合に、適合する記録紙がないため印刷不可能な画像の記録紙サイズを表示することを特徴とする請求項１に記載の画像形成装置。
【請求項７】
複数の異なるサイズの画像データを蓄積する画像記憶部と、所定の情報を表示する表示部を含んで構成される操作部と、複数の異なるサイズの記録紙を給紙する記録紙給紙部と、当該画像記憶部に蓄積された複数の異なるサイズの画像データを出力する画像出力部とからなる画像形成方法であって、
前記画像記憶部に蓄積されている画像データが、前記画像形成装置のユーザから出力指示された場合に、当該出力指示された画像データを出力可能かどうか判断する出力判断工程と、
前記記録紙給紙部に所定のサイズの記録紙が無いことによりに前記画像データが出力できない場合に、出力に必要な所定のサイズの記録紙を前記表示部に表示する表示制御工程と、
を含んだことを特徴とする画像形成方法。
【請求項８】
複数の異なるサイズの画像データを蓄積する画像記憶部と、所定の情報を表示する表示部を含んで構成される操作部と、複数の異なるサイズの記録紙を給紙する記録紙給紙部と、当該画像記憶部に蓄積された複数の異なるサイズの画像データを出力する画像出力部とからなる画像形成プログラムにおいて、
前記画像記憶部に蓄積されている画像データが、前記画像形成装置のユーザから出力指示された場合に、当該出力指示された画像データを出力可能かどうか判断する出力判断手順と、
前記記録紙給紙部に所定のサイズの記録紙が無いことによりに前記画像データが出力できない場合に、出力に必要な所定のサイズの記録紙を前記表示部に表示する表示制御手順と、
をコンピュータに実行させることを特徴とする画像形成プログラム。
【発明の詳細な説明】
【技術分野】
【０００１】
本発明は、複数の異なるサイズの画像データを蓄積する画像記憶部と、所定の情報を表示する表示部を含んで構成される操作部と、複数の異なるサイズの記録紙を給紙する記録紙給紙部と、当該画像記憶部に蓄積された複数の異なるサイズの画像データを出力する画像出力部とからなる画像形成装置に関するものである。
【背景技術】
【０００２】
従来より、原稿の主走査長と一致するロール紙幅の給紙段を選択して、副走査長は原稿と同一の長さに切断するシンクロカットモードを備えている画像形成装置によって、複数の異なるサイズの画像データが出力されていた。例えば、ロール状のロール紙を用紙搬送方向と垂直に切断して不定形紙と定形紙を生成可能な給紙手段を有するコピー機の場合は、たとえ定形サイズ原稿を読み込ませても、読み取り誤差を考慮して不定形サイズとして画像データを出力していた。
【０００３】
ところで、近年、画像蓄積機能実装の要求が大きく、１台の機械でコピー・ＦＡＸ・プリンタ・スキャナ等の機能をもつ複合機が画像形成装置として出現した。大容量のＨＤＤを備えることにより装置内部に蓄積された画像は、出力を考慮してほとんど定型サイズで蓄積され、不定形サイズで蓄積された画像を出力するには、ユーザが、出力画像と同一サイズの不定形記録紙を指定する必要があった。この場合、ユーザは、画像欠けが発生しないように画像サイズを確認する必要があり、非常に使いにくいという問題があった。
【０００４】
また、ロール紙給紙段を備えた機種では１つあたりのロール給紙段高さが高い為、多くの給紙段を備えられないという問題があり、装着可能なロール紙の個数制約が発生する。そのため、複数の異形サイズを同時に出力中に記録紙がないために中断すると言う問題もあった。さらには、ロール紙はカット紙に比べ大きく重いため、出来るだけロール紙交換作業をしたくない。
【０００５】
このように、上記複合機能を備えた画像形成装置においても、前記不定形サイズで蓄積された複数の異なるサイズの画像を出力する場合の操作性改善が問題となっている。
【０００６】
【特許文献１】特開平１０−２５７２３１号公報
【発明の開示】
【発明が解決しようとする課題】
【０００７】
そこで、この発明は、上述した従来技術の問題を解決するためになされたものであり、不定形サイズで蓄積された複数の異なるサイズの画像を出力する場合に、必要な記録紙サイズを画像形成装置に全て表示することに、ユーザは予め印刷に必要な記録紙をセットする事ができ、記録紙交換回数を減らして操作性を向上させることがこのような画像形成装置を提供すること目的とする。
【課題を解決するための手段】
【０００８】
上述した課題を解決し、目的を達成するために、請求項１にかかる発明は、複数の異なるサイズの画像データを蓄積する画像記憶部と、所定の情報を表示する表示部を含んで構成される操作部と、複数の異なるサイズの記録紙を給紙する記録紙給紙部と、当該画像記憶部に蓄積された複数の異なるサイズの画像データを出力する画像出力部とからなる画像形成装置において、前記画像記憶部に蓄積されている画像データが、前記画像形成装置のユーザから出力指示された場合に、当該出力指示された画像データを出力可能かどうか判断する出力判断手段と、前記記録紙給紙部に所定のサイズの記録紙が無いことによりに前記画像データが出力できない場合に、出力に必要な所定のサイズの記録紙を前記表示部に表示する表示制御手段と、を備えることを特徴とする。
【０００９】
また、請求項２にかかる発明は、上記の発明において、出力に必要な記録紙のサイズが不定形の場合にはロール紙サイズを表示し、出力に必要な記録紙のサイズが定形の場合にはカット紙サイズを表示することを特徴とする。
【００１０】
また、請求項３にかかる発明は、上記の発明において、出力する画像サイズが不定形サイズであり、かつ当該不定形サイズが前記記録紙給紙部を構成するロール紙給紙段のサポートサイズと一致しない場合には、出力画像を保証するように最も余白を少なくしたロール紙またはカット紙を給紙選択することを特徴とする。
【００１１】
また、請求項４にかかる発明は、上記の発明において、前記画像出力部から出力される画像サイズに適合する記録紙がないことにより前記画像データが出力できない場合は、出力する画像サイズが不定形サイズであり、かつ当該不定形サイズが前記記録紙給紙部を構成するロール紙給紙段のサポートサイズと一致しない場合には、出力画像を保証するように最も余白を少なくする条件で検索した用紙サイズを表示することを特徴とする。
【００１２】
また、請求項５にかかる発明は、上記の発明において、複数の画像先頭から印刷可能な画像までを印刷指示する印刷指示手段をさらに備え、前記表示制御手段は、前記印刷指示手段により印刷指示を受け印刷される画像に当該印刷指示手段からさらに印刷指示があった場合に、当該画像が印刷された記録紙サイズを出力順に重複するサイズを除いて表示することを特徴とする。
【００１３】
また、請求項６にかかる発明は、上記の発明において、前記画像記憶部に蓄積された複数の画像のうち印刷可能な画像のみを印刷指示する印刷指示手段をさらに備え、前記表示制御手段は、前記印刷指示手段により印刷指示をうけた場合に、適合する記録紙がないため印刷不可能な画像の記録紙サイズを表示することを特徴とする。
【発明の効果】
【００１４】
請求項１にかかる発明によれば、画像出力に必要な記録紙サイズを全て表示するので、ユーザは予め印刷に必要な記録紙をセットする事ができ、操作性を向上させることが可能となる。
【００１５】
また、請求項２にかかる発明によれば、長尺画像等では、主走査長は定形サイズで副走査長が不定形の為に不定形サイズとなっていること多く、この様な不定形サイズに対してロール紙１つで主走査長が同一の複数の不定形サイズをカバー出来るので、ロール紙幅を表示することによって操作性を向上させることが可能となる。
【００１６】
また、請求項３にかかる発明によれば、エリアを指定して読み込み蓄積された不定形サイズの画像や、変倍蓄積された不定形サイズの画像に対しては、画像保証が出来るうちで余白が最も少なくなるロール紙またはカット紙を給紙選択するので、操作性を向上させることが可能となる。
【００１７】
また、請求項４にかかる発明によれば、出力しようとする画像サイズが不定形サイズであり、かつ当該不定形サイズが前記記録紙給紙部を構成するロール紙給紙段のサポートサイズと一致しない場合に、出力画像を保証するように最も余白を少なくする条件で検索した用紙サイズを表示するので、操作性を向上させることが可能となる。
【００１８】
また、請求項５にかかる発明によれば、印刷指示された複数の画像先頭から印刷可能な範囲の画像までを印刷指示するので、操作性を向上させることが可能となる。
【００１９】
また、請求項６にかかる発明によれば、選択された複数の画像のうち印刷可能な画像のみ印刷指示する手段を備えるので、記録紙の交換回数を少なく抑えることが出来、生産性を向上させると共に操作性を向上させることが可能となる。
【発明を実施するための最良の形態】
【００２０】
以下に添付図面を参照して、この発明にかかる画像形成装置、画像形成方法および画像形成プログラムの実施例を詳細に説明する。なお、以下では、本発明にかかる画像形成装置の一例としてファクシミリ装置を適用した場合を実施例１として説明した後に、本発明に含まれる他の実施例を説明する。
【実施例１】
【００２１】
以下の実施例１では、実施例１に係るファクシミリ装置の概要および特徴、処理の流れを順に説明し、最後に実施例１による効果を説明する。
【００２２】
［概要および特徴（実施例１）］
以下、図面を参照して本発明における実施の形態を詳細に説明する。図１は、実施例１にかかる画像形成装置の一例としてファクシミリ装置のシステム構成を示すブロック図である。図２は、実施例１にかかるファクシミリ装置に設けられた給紙部の概略位置を示す図である。図３は、実施例１にかかる操作部（表示部）に表示される表示例を示す図である。
【００２３】
図１に示すように、ファクシミリ装置は、ＣＰＵ１と、書き込み制御部２と、画像処理部３と、Ｉ／Ｏ制御部４と、モデム５と、ＰＣ−Ｉ／Ｆ部６と、操作部７と、画像データ記憶部８を所定のバスなどで接続して構成される。
【００２４】
このうち、ＣＰＵ１は、装置本体の各種制御を司る処理部であり、特に本発明と密接に関連するものとしては、出力判断部１ａと表示制御部１ｂとを備える。出力判断部１ａは、画像データ記憶部８に蓄積された画像データの出力指示を受けて、出力できるかどうかを判断する処理部であり、表示制御部１ｂは、出力される画像データのサイズを操作部７（表示部）に表示する処理部である。なお、この出力判断部１ａは、特許請求の範囲に記載の「出力判断手段」に対応し、表示制御部１ｂは、特許請求の範囲に記載の「表示制御手段」に対応する。
【００２５】
書き込み制御部２は、記録紙への書き込み動作を制御するプロッタ２ａを制御する制御部である。画像処理部３は、スキャナ３ａで読み込んだ画像データを処理する処理部である。Ｉ／Ｏ制御部４は、電装品の各センサ４ａや駆動手段のドライバ４ｂの制御や、給紙手段の選択を行う制御部である。モデム５は通信用の変復調装置である。ＰＣ−Ｉ／Ｆ部６は、外部機器として接続されるＰＣ６ａとのインターフェイスとして機能する操作感である。操作部７は、ユーザが各種操作の入力を行う操作部である。画像記憶部８は、画像データを記憶するデータベースである。
【００２６】
このような構成を有するファクシミリ装置は、装置内部に蓄積した画像データを出力することを概要とするが、特に、画像データを出力できるかどうか判断し、出力できないと判断した場合には、出力に必要な記録紙のサイズを表示する点に特徴がある。
【００２７】
これについて簡単に説明すると、図２に示すように、ファクシミリ装置に設けられる給紙部は、複数のロール紙給紙トレイとカット紙給紙トレイとからなる。そして、操作部７を介してユーザから画像記憶部に蓄積された画像の出力指示があると、出力判断部１ａがその画像が出力可能か判断する。例えば、出力指示された画像が、カット紙給紙トレイにある定形サイズ（Ａ４横：297mm*210mm）の用紙に画像を完全な状態で出力できる場合には出力可能と判断する。また、出力指示された画像が、ロール紙給紙トレイで対応できる不定形サイズ（297mm*任意の長さ）である場合は、出力可能と判断する。
【００２８】
ここで、出力表示部１ｂは、出力に必要な用紙が定型サイズの場合はカット紙サイズを操作部７に含まれる表示部に表示し、不定形サイズの場合はロール紙サイズを表示する。なお、図３に示すように、表示制御部１ｂは、ユーザが画像データ出力前にあらかじめ記録紙を給紙部にセットできるように、出力画像を保証するように最も余白を少なくする条件で設定可能な記録紙サイズの全てを操作部７（表示部）に表示する。また、印刷可能な画像データのところまで印刷するか、あるいは、印刷可能なサイズを有する画像データを印刷するかをユーザが選択できるように操作部７（表示部）に表示する。
【００２９】
［画像印刷処理］
次に、図４を用いて実施例１にかかる画像印刷処理を説明する。図４は、実施例１にかかる画像印刷処理の流れを示すフローチャートである。
【００３０】
図４に示すように、ファクシミリ装置が、ユーザから画像データ記憶部８に蓄積された画像データの印刷指示を受けると（ステップＳ４０１肯定）、出力判断部１ａが、印刷指示のあった全ての画像データについて印刷可能かどうか判断する（ステップＳ４０２）。そして、印刷可能な画像データがある場合には（ステップＳ４０２肯定）、印刷指示のあった画像データを指示のあった順に印刷可能であるか判断する（ステップＳ４０３）。そして、そのページが印刷可能である場合には（ステップＳ４０３肯定）、そのページを印刷する（ステップＳ４０４）。さらに、ページを進め（ステップＳ４０６）、印刷可能なページが残っているか判断する（ステップＳ４０７）。印刷可能なページが残っている場合には（ステップＳ４０７肯定）、上記したステップＳ４０３に戻り、印刷可能なページが残っていない場合には（ステップＳ４０７否定）、ファクシミリ装置は、画像印刷処理を終了する。
【００３１】
ここでステップＳ４０３の説明に戻ると、印刷指示のあったページが印刷不可能である場合には（ステップＳ４０３否定）、出力判断部１ａが、印刷モードをチェックする（ステップＳ４０５）。そして、印刷モードが、ｍｏｄｅ２（印刷可能なサイズのみを印刷するモード）である場合には（ステップＳ４０５肯定）、ステップＳ４０６へ進み、ｍｏｄｅ２ではない場合には（ステップＳ４０５否定）、ステップＳ４０１に戻り、ファクシミリ装置は、待機状態となる。
【００３２】
また、ステップＳ４０２の説明に戻ると、印刷可能な画像データがない場合には（ステップＳ４０２否定）、印刷不可の理由が「記録紙無し」によるものか、出力判断部１ａが判断する。そして、印刷不可の理由が「記録紙無し」である場合には（ステップＳ４０８肯定）、表示制御部１ｂが、例えば、図３に示すように、印刷可能な記録紙サイズを出力順に重複サイズを除いて操作部７（表示部）に表示し（ステップＳ４０９）、出力判断部１ａが、印刷モードの入力をチェックする（ステップＳ４１０）とともに、印刷モードをチェックする（ステップＳ４１１）。印刷モードが、ｍｏｄｅ１（印刷可能なところまで印刷するモード）か、あるいは、ｍｏｄｅ２であった場合には（ステップＳ４１１肯定）、上記したステップＳ４０３に進み、印刷モードがｍｏｄｅ１でもｍｏｄｅ２でもない場合には（ステップＳ４１１否定）、ｍｏｄｅ３かどうかをチェックする（ステップＳ４１２）。印刷モードが、ｍｏｄｅ３ではない場合には（ステップＳ４１３否定）、上記したステップＳ４１０に戻り、ｍｏｄｅ３である場合には（ステップＳ４１３肯定）、ファクシミリ装置は、画像印刷処理を終了する。
【００３３】
ここでステップＳ４０８の説明に戻ると、印刷不可の理由が「記録紙無し」ではない場合には（ステップＳ４０８否定）、ファクシミリ装置は、印刷せずに画像出力処理を終了する。
【００３４】
［実施例１の効果］
上述してきたように、実施例１によれば、画像出力に必要な記録紙サイズを全て表示するので、ユーザは予め印刷に必要な記録紙をセットする事ができ、操作性を向上させることが可能となる。
【００３５】
また、実施例１によれば、長尺画像等では、主走査長は定形サイズで副走査長が不定形の為に不定形サイズとなっていること多く、この様な不定形サイズに対してロール紙１つで主走査長が同一の複数の不定形サイズをカバー出来るので、ロール紙幅を表示することによって操作性を向上させることが可能となる。
【００３６】
また、実施例１によれば、エリアを指定して読み込み蓄積された不定形サイズの画像や、変倍蓄積された不定形サイズの画像に対しては、画像保証が出来るうちで余白が最も少なくなるロール紙またはカット紙を給紙選択するので、操作性を向上させることが可能となる。
【００３７】
また、実施例１によれば、出力しようとする画像サイズが不定形サイズであり、かつ当該不定形サイズが前記記録紙給紙部を構成するロール紙給紙段のサポートサイズと一致しない場合に、出力画像を保証するように最も余白を少なくする条件で検索した用紙サイズを表示するので、操作性を向上させることが可能となる。
【００３８】
また、実施例１によれば、印刷指示された複数の画像先頭から印刷可能な範囲の画像までを印刷指示するので、操作性を向上させることが可能となる。
【００３９】
また、実施例１によれば、選択された複数の画像のうち印刷可能な画像のみ印刷指示する手段を備えるので、記録紙の交換回数を少なく抑えることが出来、生産性を向上させると共に操作性を向上させることが可能となる。
【実施例２】
【００４０】
［ハードウェア構成］
ところで、上記の実施例１では、画像形成装置、画像形成方法および画像形成プログラムの一例としてファクシミリ装置を採用した場合について説明したが、以下の実施例２では、画像形成装置、画像形成方法および画像形成プログラムのハードウェア構成について説明する。図６は、本発明にかかる画像形成装置、画像形成方法および画像形成プログラムのハードウェア構成を示すブロック図である。
【００４１】
同図に示すように、この画像形成装置は、コントローラ１０とエンジン部（Engine）６０とをＰＣＩ（Peripheral Component Interconnect）バスで接続した構成となる。コントローラ１０は、複合機１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００４２】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【００４３】
ＣＰＵ１１は、複合機１の全体制御をおこなうものであり、ＮＢ１３、ＭＥＭ−Ｐ１２およびＳＢ１４からなるチップセットを有し、このチップセットを介して他の機器と接続される。
【００４４】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００４５】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００４６】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００４７】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。
【００４８】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【００４９】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【産業上の利用可能性】
【００５０】
以上のように、本発明にかかる画像形成装置、画像形成方法および画像形成プログラムは、装置内部に蓄積した複数の画像データを出力する場合に有用であり、特に、記録紙に対応しない不定形画像データを出力する際の操作性向上に適している。
【図面の簡単な説明】
【００５１】
【図１】第１の実施の形態における画像形成装置の一例としてファクシミリ装置のシステム構成を示すブロック図である。
【図２】第１の実施の形態におけるファクシミリ装置の下部に設けられ選択される給紙手段の概略位置を示す図である。
【図３】第１の実施の形態におけるファクシミリ装置に用いられる操作部表示例を示す図である。
【図４】第１の実施の形態における画像形成装置の一例としたファクシミリ装置に通知手段を設けた場合の給紙装置の動作を示すフローチャートである。
【図５】本発明に係るハードウェア構成を示すブロック図である。
【符号の説明】
【００５２】
１  ＣＰＵ
２  書込制御装置
２ａ  プロッタ
３  画像処理部
３ａ  スキャナ
４  Ｉ／Ｏ制御部
４ａ  各センサ
４ｂ  ドライバ
５  モデム
５ａＮＣＵ
６ＰＣ−Ｉ／Ｆ部
６ａ  ＰＣ
７  操作部
７ａ  蓄積通知部
８  画像データ記憶部
９  給紙設定切換ＳＷ
１０  コントローラ
１１  ＣＰＵ
１２  システムメモリ
１２ａ  ＲＯＭ
１２ｂ  ＲＡＭ
１３  ノースブリッジ
１４  サウスブリッジ
１５  ＡＧＰ（Accelerated Graphics Port）
１６  ＡＳＩＣ（Application Specific Integrated Circuit）
１７  ローカルメモリ
１８  ＨＤＤ
【図１】
2006240254.tif 000003
【図２】
2006240254.tif 000004
【図３】
2006240254.tif 000005
【図４】
2006240254.tif 000006
【図５】
2006240254.tif 000007